(57)【要約】【課題】軽量で、破損し難い、嵩張らず、複数個の試料の検査も容易に可能である安価な試料検査用プレートを提供する。【解決手段】合成樹脂シート２上に少なくとも１個の隆起壁３により囲繞された試料採取部４を少なくとも１個設け、外周に隆起枠５を周設したことを特徴とする試料検査用プレートである。【選択図】図１
2006133168.tif 000002
【特許請求の範囲】
【請求項１】
合成樹脂シート上に少なくとも１個の隆起壁により囲繞された試料採取部を少なくとも１個設けたことを特徴とする試料検査用プレート。
【請求項２】
試料採取部が複数個である請求項１記載の試料検査用プレート。
【請求項３】
試料採取部が矩形状又は楕円形状である請求項１又は２記載の試料検査用プレート。
【請求項４】
試料採取部の底部が傾斜した形状からなる請求項１〜３のいずれか１項に記載の試料検査用プレート。
【請求項５】
試料採取部付近に識別記号を設けた請求項１〜４ののいずれか１項に記載の試料検査用プレート。
【請求項６】
記録部を設けた請求項１〜５のいずれか１項に記載の試料検査用プレート。
【請求項７】
試料採取部が内側及び外側の２個の隆起壁により囲繞されている請求項１〜６のいずれか１項に記載の試料検査用プレート。
【請求項８】
外周に隆起枠を周設した請求項１〜７のいずれか１項に記載の試料検査用プレート。
【請求項９】
把持部を延設した請求項１〜８のいずれか１項に記載の試料検査用プレート。
【請求項１０】
病原大腸菌免疫血清凝集反応用である請求項１〜９のいずれか１項に記載の試料検査用プレート。
【請求項１１】
試料採取部が８個からなり、第１番目の試料採取部と第２番目の試料採取部との間に識別手段が施されている請求項１０記載の試料検査用プレート。
【請求項１２】
第１番目の試料採取部と第２番目の試料採取部との識別手段が第２番目〜第８番目の試料採取部の間隔よりも広い間隔からなる請求項１１記載の試料検査用プレート。
【請求項１３】
真空成形により成形された請求項１〜１２のいずれか１項に記載の試料検査用プレート。
【請求項１４】
射出成形により成形された請求項１〜１２のいずれか１項に記載の試料検査用プレート。
【発明の詳細な説明】
【技術分野】
【０００１】
本発明は、軽量で、破損し難く、嵩張らず、複数個の試料検査も容易に可能である安価な試料検査用プレートに関し、更に詳しくは、特に、病原大腸菌免疫血清凝集反応に使用する糞便試料の検査用プレートとして、また、血液、血清、唾液、尿その他の液体試料等で使用することができる凝集反応用汎用プレートに好適な試料検査用プレートに関する。
【背景技術】
【０００２】
最近では都市集中型生活、流通機構の拡大、輸入食品・輸入食材などにより生活様式が変化し、食中毒の多様化、大型化、広域化の原因となっている。
食中毒・感染性腸炎への今日的なアプローチとして、検査結果の早急な対応が必要不可欠となっている。病原大腸菌はヒトの腸管内正常細菌叢に含まれる腸内細菌科に属するグラム陰性桿菌で、下痢、急性胃腸炎又は大腸炎などの腸管感染症の原因菌となる。病原大腸菌はその病原性機構の違いによって、腸管病原性大腸菌、腸管侵入性大腸菌、腸管毒素性大腸菌、腸管出血性大腸菌の４つに大きく分類されている。それぞれの病原大腸菌は特定の血清型を調べて病原大腸菌を推定する。
【０００３】
この種のものとしては、従来、水切放スライドガラス（７６×２６ｍｌ）を使用しガラス鉛筆で８区画割をするか、又は、水切放スライドガラス８枠数字入りとして、境界線を白色塗料で区画割をしたものが使用されている（例えば、非特許文献１参照）。これの特徴としては、顕微鏡観察が可能であり、大腸菌菌濁液をそれぞれの区画に滴下し混合血清を滴加し凝集反応の有無を観察判定するものである。
【非特許文献１】「細菌検査用スライドグラス」（松浪硝子工業株式会社製カタログ）
【発明の開示】
【発明が解決しようとする課題】
【０００４】
しかしながら、上記した水切放スライドガラスは操作中に誤って指を切ることがあり、更には、重量が大きく破損しやすいこと、嵩張ること、区画割で隣接する区画間で試料が混ざりあいコンタミネーションを起こしやすく判定が不確実になりやすい等問題が多く、作業性、効率性、作業者の安全性等の点で多くの問題を含んでいる。
【０００５】
また、ガラス製であるため高価となり、従って、使い捨てではなく洗浄して再利用される場合も多いが、洗浄中においても破損したり、指を切ることが多く、また洗浄が不十分な場合には検査結果に悪影響を与える等の問題もある。
【０００６】
本発明はかかる実情に鑑み、上記従来技術の問題点を解消し、検体のコンタミネーションを防ぎ、軽量で、破損し難く、且つ、作業者の安全性の高く、使い捨てにも適した安価な試料検査用プレートを提供するものである。
【課題を解決するための手段】
【０００７】
上記課題を解決するための本発明の請求項１は、合成樹脂シート上に少なくとも１個の隆起壁により囲繞された試料採取部を少なくとも１個設けたことを特徴とする試料検査用プレートを内容とする。
【０００８】
本発明の請求項２は、試料採取部が複数個である請求項１記載の試料検査用プレートを内容とする。
【０００９】
本発明の請求項３は、試料採取部が矩形状又は楕円形状である請求項１又は２記載の試料検査用プレートを内容とする。
【００１０】
本発明の請求項４は、試料採取部の底部が傾斜した形状からなる請求項１〜３のいずれか１項に記載の試料検査用プレートを内容とする。
【００１１】
本発明の請求項５は、試料採取部付近に識別記号を設けた請求項１〜４ののいずれか１項に記載の試料検査用プレートを内容とする。
【００１２】
本発明の請求項６は、記録部を設けた請求項１〜５のいずれか１項に記載の試料検査用プレートを内容とする。
【００１３】
本発明の請求項７は、試料採取部が内側及び外側の２個の隆起壁により囲繞されている請求項１〜６のいずれか１項に記載の試料検査用プレートを内容とする。
【００１４】
本発明の請求項８は、外周に隆起枠を周設した請求項１〜７のいずれか１項に記載の試料検査用プレートを内容とする。
【００１５】
本発明の請求項９は、把持部を延設した請求項１〜８のいずれか１項に記載の試料検査用プレートを内容とする。
【００１６】
本発明の請求項１０は、病原大腸菌免疫血清凝集反応用である請求項１〜９のいずれか１項に記載の試料検査用プレートを内容とする。
【００１７】
本発明の請求項１１は、試料採取部が８個からなり、第１番目の試料採取部と第２番目の試料採取部との間に識別手段が施されている請求項１０記載の試料検査用プレートを内容とする。
【００１８】
本発明の請求項１２は、第１番目の試料採取部と第２番目の試料採取部との識別手段が第２番目〜第８番目の試料採取部の間隔よりも広い間隔からなる請求項１１記載の試料検査用プレートを内容とする。
【００１９】
本発明の請求項１３は、真空成形により成形された請求項１〜１２のいずれか１項に記載の試料検査用プレートを内容とする。
【００２０】
本発明の請求項１４は、射出成形により成形された請求項１〜１２のいずれか１項に記載の試料検査用プレートを内容とする。
【発明の効果】
【００２１】
本発明の試料検査用プレートは、合成樹脂シート上に隆起壁により囲繞された試料採取部を少なくとも１個設けたので、従来のガラス製のものに比べ、軽量で、破損し難く、嵩張らず、作業者にとって極めて安全である。
【００２２】
また、試料採取部は隆起壁により囲繞されているので試料が洩出することがなく、特に、試料採取部を複数個設けた場合には、隣接する試料採取部は隆起壁により明確にそれぞれ区画されているので、隣接する試料採取部の試料が混ざりあうことが防止され、コンタミネーションにより判定が不確実になるというトラブルが防止される。
【００２３】
また、試料採取部は矩形状又は楕円形状であることが好ましい。例えば、病原大腸菌免疫血清凝集反応においては、大腸菌菌濁液と混合血清又は単味血清との混合液を試料採取部内で上下又は左右に移動させて凝集の有無を判定するので、移動させる距離を取り易い矩形状又は楕円形状が好ましい。
【００２４】
また、試料採取部は、底部が傾斜した形状からなることが好ましい。これは、例えば、上記したように、大腸菌菌濁液と混合血清又は単味血清との混合液を上下又は左右に移動させ易いためである。
【００２５】
また、試料採取部を形成する隆起壁を２個、例えば内側と外側の如く２重に設けた場合は、採取部から洩れた試料は先ず隣り合う内側隆起壁と外側隆起壁との間の凹部に留まり、万一、凹部から洩れたとしても外周の隆起枠により堰止められ洩出が阻止されるので好ましい。
【００２６】
また、試料採取部は合成樹脂シート上に所望の個数だけ容易に設けられるので、複数個の試料を同時に１枚のプレートに採取することができ、検査の作業性、効率性が飛躍的に高められる。
【００２７】
また、試料採取部付近に識別記号を設けることにより、各試料採取部を明確に区別することができ、検査の作業性及び信頼性を高めることができる。
【００２８】
また、記録部を設けることにより、試料提供者の氏名、番号、記号等が記載でき、検査の作業性及び信頼性を高めることができる。
【００２９】
また、試料採取用プレートの外周に隆起枠を周設することにより、採取部から洩れた試料は該隆起枠によりせき止められ、プレート外への漏出が防止される。また、隆起枠を周設することにより、薄い合成樹脂シートを使用しても剛性が付与されるので、原料樹脂量が節約でき、安価な試料検査用プレートを提供することができる。
【００３０】
また、把持部を設けることにより、プレートが取り扱い易くなり作業性が大巾に向上する。この場合、好ましくは隆起した把持部を設けることにより、万一、試料が採取部から洩れ出しても手に触れることがなく衛生的である。
【００３１】
また、病原大腸菌免疫血清凝集反応用に用いる場合は、混合血清の凝集判定のためには８個の試料採取部を設け、次の単味血清を用いた凝集判定のために、第１番目の試料採取部を対照のための混合血清用とし、第２番目以降の試料採取部を単味血清用とするのが好ましく、更に、この第１番目の混合血清用と第２番目以降の単味血清用とを混同しないように区別することが好ましく、このような区別としては、第１番目の試料採取部と第２番目の試料採取部との間隔を第２番目〜第８番目の試料採取部の間隔よりも広い間隔とすれば、成形と同時にできるとともに一目瞭然に区別し得る点で好ましい。
【００３２】
本発明の試料検査用プレートは、合成樹脂を真空成形又は射出成形により作製することにより、容易に且つ安価に提供できる。
【発明を実施するための最良の形態】
【００３３】
本発明の試料検査用プレートは、合成樹脂シート上に少なくとも１個の隆起壁により囲繞された試料採取部を少なくとも１個設けたことを特徴とする。
【００３４】
本発明に用いられる合成樹脂としては、透明性等光学的特性及び耐薬品性に優れ、吸水性の小さいものであれば特に制限はなく、例えば、ポリエチレンテレフタレート、ポリブチレンテレフタレート、ポリナフタレンテレフタレート等のポリエステル、ポリカーボネート、ポリアミド、ポリアリレート等が挙げられる。これらの中で、ポリエステルが透明性、経済性等の点で好ましい。
【００３５】
合成樹脂シート上に、隆起壁により囲繞された試料採取部が設けられる。試料採取部の形状は、矩形、円形、楕円形、多角形等のいずれでもよく、そのサイズも特に制限されないが、通常、矩形の場合は一辺が、また円形の場合は直径が、楕円形の場合は長径又は短径が、８〜２０ｍｍ程度のものが好ましい。あまり小さい場合は試料の採取が困難であり、一方、あまり大きくても意味がなく、却って、取り扱い性が悪くなるとともに、材料費が大きくなり不経済である。
【００３６】
特に、病原大腸菌免疫血清凝集反応用の場合は、大腸菌菌濁液と混合血清又は単味血清との混合液を上下又は左右に移動させることにより凝集の有無を肉眼で判定するので、移動させる距離を取り易い矩形状又は楕円形状の試料採取部が好ましい。この場合は、液量と移動させて判定する作業性とから、長辺又は長径８〜２５ｍｍ、短辺又は短径３〜８ｍｍ程度の矩形状又は楕円形状が好ましい。
【００３７】
隆起壁は試料が採取部から洩れ出さないように堰止めるもので、少なくとも１個（１重）設けられる。上限は特に制限されないが、実用性の面からは３個（３重）程度が好ましく、より好ましくは内側と外側の２個（２重）である。
【００３８】
隆起壁は幅０．５〜１．５ｍｍ程度、高さ０．５〜５．０ｍｍ程度のものが好ましい。隆起壁を複数個重ねて設ける場合、その間隔は１．５〜３ｍｍ程度が好ましい。
【００３９】
本発明の試料検査用プレートは、作業性や取り扱い性の面から一辺が５０〜２００ｍｍ程度、好ましくは５０〜１５０ｍｍ程度の矩形が好ましく、厚さは１．０〜５ｍｍ程度が好ましい。
試料検査用プレートには、試料採取部が少なくとも１個設けられるが、作業性や効率面から複数個設けるのが好ましく、３個以上設けるのがより好ましい。上限は特に制限されないが、余り多くなると該検査用プレートのサイズも大きくならざるを得ず、作業性や取り扱い性が低下するので２０個程度が好ましい。例えば、病原大腸菌免疫血清凝集反応用の場合は８個設けるのが好ましい。
【００４０】
また、病原大腸菌免疫血清凝集反応用の場合は、先ず混合血清（混合１〜８）で凝集の有無を観察し、次いで、混合血清で陽性と判定された場合、その混合血清を構成する単味血清を用いて同様に凝集の有無を判定する。
従って、前者の混合血清の凝集判定のためには８個の試料採取部が必要で、後者の単味血清を用いた凝集判定のためには、例えば、第１番目の試料採取部を対照のための混合血清用とし、第２番目以降の試料採取部を単味血清用とするのが好ましい。更に、この第１番目の混合血清用と第２番目以降の単味血清用とを混同しないように区別することが好ましく、このような区別としては、第１番目の試料採取部と第２番目の試料採取部との間隔を他の試料採取部の間隔よりも少し広く開ける、第１番目の試料採取部と第２番目の試料採取との間に区画壁を立設する、区画線を引く、等が好ましい。
【００４１】
また、病原大腸菌免疫血清凝集反応用の場合は、大腸菌菌濁液と混合血清又は単味血清との混合液を試料採取部内で移動させて（底面を流して）肉眼で判定するので底部を傾斜せるのが好ましい。傾斜は矩形の場合は長辺の方向に、楕円形の場合は長径の方向に傾斜させ、傾斜の角度は５度以下が好ましく、より好ましくは１〜３度である。
【００４２】
試料採取部の近傍に、各試料採取部を区別するために、番号、アルファベット等の識別記号を設けたり、また、試料提供者の氏名や番号、記号等を記録するための記録部を設けることにより、作業性や信頼性を高めることができる。識別記号は印刷等により設けることもできるが、成形と同時に凸状又は凹状に刻印するのが好ましい。記録部は、例えば、筆記性を高めるために表面を荒らしたり、梨地状とすることにより設けられる。
更に、試料検査用プレートの上下を一見して区別できるように合成樹脂シートの角部のアール（丸味）を変える、目印をつける、等のマーキングを施し、作業性及び検査の信頼性を高めることも可能である。
【００４３】
本発明の試料採取用プレートの外周に隆起枠を周設することにより、採取部から洩れた試料は該隆起枠によりせき止められ、プレート外への漏出が防止される。また、薄い合成樹脂シートを使用しても剛性が付与されるので、樹脂量が節約でき、安価な試料検査用プレートを提供することができる。
【００４４】
また、本発明の試料検査用プレートは、把持部を設けることにより、取り扱い性が向上し、検査の作業性が向上する。把持部は外周の隆起枠内に設けてもよく、また隆起枠外に延設してもよい。外周の隆起枠内に設ける場合は、万一、洩出した試料が手に触れないように、試料採取部とは突設した壁又は凹溝を介在せしめるか、一段と高く設けることが好ましい。
把持部を隆起枠外に延設する場合の形状は特に制限されないが、例えば、試料検査用プレートの外周に舌片状の把持部を設ける、該プレートと略同幅の把持片を折り曲げ溝部を介して延設し、使用時に所定の角度だけ斜上方に折り曲げて把持部とする、等が好ましい。
【００４５】
本発明の試料検査用プレートは、射出成形、圧縮成形、真空成形、圧空成形等で容易に成形されるが、特に、真空成形が薄い合成樹脂シート（フィルム）を用いて成形できるので原料樹脂量も節約でき、軽量で且つ安価な試料検査用プレートを提供できる点で好ましい。
【００４６】
上記の如き本発明の試料検査用プレートには、必要に応じ、カバーを設けることができる。カバーは、試料の蒸発を防ぐ、埃の混入を防ぐ、漏出を防ぐ等の効果がある。従って、カバーは少なくとも試料採取部を覆うに十分なサイズのものが必要である。カバーは試料検査用プレートに密着する接着性を有し、水分を透過させない水分バリヤー性及び透明性を有する合成樹脂フィルムが好ましく、このようなフィルムとしては、ポリエチレン、２軸延伸ポリプロピレン、防湿セロファン、ポリエステル、ポリアミド、エチレン−ビニルアルコール共重合樹脂、塩化ビニル樹脂、塩化ビニリデン樹脂等が挙げられる。カバーフィルムの厚みは特に制限されないが、５０〜３００μｍ程度のものが好ましい。
【００４７】
カバーは、必要に応じ、両端を該プレートに接着剤、粘着剤で仮（弱）接着して着脱自在に接着してもよく、この場合、接着剤又は粘着剤、離型紙の順に積層し、接着又は仮（弱）接着したい場合には、該離型紙を剥がし取って接着剤又は粘着剤を露出させて仮（弱）接着させるのが便利である。また、一端を試料検査用プレートの一端にヒートシールや接着剤、粘着剤により接着しカバーの他端を開閉自在としてもよい。
また、合成樹脂シートの端部を一部切り欠いて、その部分はカバーのみとしたり、また一部を突出させてカバーを指で摘み易くしておくことにより、カバーの開閉操作を容易にすることができる。
【００４８】
上記の如き本発明の試料検査用プレートは、病原大腸菌免疫血清凝集反応に使用する糞便試料や、血液、血清、尿、唾液等の凝集反応用汎用プレートとして特に有用であるが、サルモネラ菌、赤痢菌等の抗体検査等にも使用できる。
【実施例】
【００４９】
以下、実施例を示す図面に基づいて本発明を更に詳細に説明するが、本発明はかかる実施例のみに限定されるものではない。
【００５０】
実施例１
図１は、本実施例の試料検査用プレートを示すもので、図１（ａ）は上面図、図１（ｂ）はＡ−Ａ断面図である。
これらの図において、試料検査用プレート１は真空成形により成形され、合成樹脂シート２の表面に、隆起壁３により囲繞された試料採取部４が８個形成され、外周に隆起枠５が周設され、更に、短辺側の１辺には隆起した把持部６及び／又は記録部９が設けられている。
【００５１】
本実施例では、隆起壁３は、試料が試料採取部４の隅に滞留しないように試料採取部４側が末拡がりのテーパー状に形成されている。また、各試料採取部４の上方部には、識別記号として番号が刻設（本例では凹設）されており、これにより各試料採取部内の各試料が識別される。
【００５２】
上記試料検査用プレート１は、試料採取部４に血液、糞便から分離した大腸菌菌濁液等の試料が採取される。採取部４より洩れ出した試料は外周の隆起枠５により堰止められる。この場合、把持部６及び／又は記録部９は隆起して形成されているので、洩れ出した試料により、手指が汚染されることがない。記録部９には、試料提供者等を記録することができる。
【００５３】
実施例２
図２は本実施例の試料検査用プレートを示す上面図で、把持部６が短辺側の他の１辺、即ち右側に設けられている他は実施例１と同じである。
本実施例の試料検査用プレート１は、実施例１の試料検査用プレート１が左手で把持部６を把持するのに対し、右手で把持部６を把持するのに適している。
【００５４】
実施例３
図３は本実施例の試料検査用プレートを示し、図３（ａ）は上面図、図３（ｂ）はＢ−Ｂ断面図、図３（ｃ）はＣ−Ｃ拡大断面図で、実施例１の試料検査用プレート１の試料採取部４の底部４ａを傾斜した形状とした他は実施例１と同様の構成からなる。
【００５５】
即ち、図３（ｃ）に示すように、試料採取部４の底部４ａが長辺方向に約２度傾斜した形状（図では、上部の識別記号１１の側が高く、下部が低い。低い方を２本の線で示す）に構成されている。
このように構成することにより、例えば、本実施例の試料検査プレート１を用いて病原大腸菌免疫血清凝集反応を観察する場合、大腸菌菌濁液と混合血清又は単味血清との混合液を該採取部４の底部４ａ上を移動させ（流して）凝集反応を肉眼で観察することが容易になる。
【００５６】
実施例４
図４は本実施例の試料検査用プレートを示し、実施例１の試料検査用プレート１において、「１」の識別記号が付された試料採取部４Ａと「２」の識別記号が付された試料採取部４Ｂとの間隔を大きくして「１」の識別記号が付された試料採取部４Ａと２〜８の識別記号が付された試料採取部４Ｂとを区別し得るようにした例を示す。
このように構成することにより、例えば、単味血清を用いた凝集判定をする場合、試料採取部４Ａには対照のために混合血清用とし、残りの７個の試料採取部４Ｂを単味血清用として用いることにより、両者が混同するトラブルが防止される。
【００５７】
実施例５
図５は本実施例の試料検査用プレートを示すもので、実施例１の試料検査用プレート１において、各試料採取部４の上部に記録部１２が設けられている他は実施例１と同じである。
【００５８】
実施例６
図６は本実施例の試料検査用プレートを示し、図６（ａ）は上面図、図６（ｂ）はＤ−Ｄ断面図で、実施例１の試料検査用プレート１において、カバー７が設けられている他は実施例１と同じである。
即ち、合成樹脂フィルムからなるカバー７の短辺側のうち把持部６及び／又は記録部９を設けていない側を隆起枠５にヒートシールにより接続してヒンジ８とした例である。本実施例ではカバー７の把持部６及び／又は記録部９側を少し長くして突縁部７ａを設けているので、この突縁部７ａを摘んでカバー７を容易に開閉することができる。
本実施例の試料検査用プレート１は、カバー７をヒンジ８を介して開き、試料採取部４けに試料を採取した後、カバー７を被着し、試料の蒸発や、埃が入るのを防止することができる。
【００５９】
実施例７
図７は、本実施例の試料検査用プレートを示すもので、実施例１の試料検査用プレートにおいて、把持部１３を延設した他は実施例１と同じである。
即ち、試料検査用プレート１の把持部６及び／又は記録部９の反対側の外周隆起枠５に舌片状（半円状）の把持部１３が延設されている。把持部１３の隆起枠５付近に折り線１４が刻設され、必要に応じ、折り線１４を介して所望の角度で斜め上方又は略直立に起立させて摘み易くして使用される。
【００６０】
実施例８
図８は本実施例の試料検査用プレートを示すもので、実施例４の試料検査用プレートにおいて、把持部１３を延設した他は実施例４と同じである。
即ち、試料検査用プレート１の把持部６及び／又は記録部９の反対側の外周隆起枠５に矩形状の把持片を延設し、折り線１４により略三角形状の把持部１３ａ、１３ｂを形成し、把持部１３ａ、１３ｂを折り線１４を介して所望の角度で斜上方又は略直立に起立させ摘み易くして使用される。
【００６１】
実施例９
図９は、本実施例の試料検査用プレートを示すもので、図９（ａ）は上面図、図９（ｂ）はＥ−Ｅ断面図である。
これらの図において、試料検査用プレート１は射出成形により成形され、合成樹脂シート２の表面に、内側隆起壁３ａ及び外側隆起壁３ｂにより２重に囲繞された試料採取部４が１列に８個形成され、外周に隆起枠５が周設され、更に短辺側の両辺には把持部６が設けられている。
【００６２】
また、各試料採取部４の上方部には、識別番号として番号が刻設されており、これにより各試料採取部内の試料が識別される。
【００６３】
上記試料検査用プレート１は、試料採取部４に血液、糞便から分離した大腸菌菌濁液等の試料が採取される。採取部４より洩れ出した試料は先ず内側隆起部３ａと外側隆起壁３ｂとの間の凹部１０に留まり、採取部４からの洩出が防止され、万一、凹部１０から洩れ出した試料は外周の隆起枠５により堰止められる。
【００６４】
実施例１０
図１０は本実施例の試料検査用プレートを示すもので、実施例１の試料検査用プレートにおいて、試料採取部４を楕円形状とした例を示す。効果は実施例１の場合と略同じである。
【００６５】
実施例１１
図１１は本実施例の試料検査用プレートを示すもので、実施例４の試料検査用プレートにおいて、試料採取部４を楕円形状とした例を示す。効果は実施例４の場合と略同じである。
【産業上の利用可能性】
【００６６】
叙上のとおり、本発明の試料検査用プレートは合成樹脂シートからなるので軽量で、破損し難く、また薄いので嵩張らず、更に、安全性や取り扱い性に優れている。
【００６７】
また、試料採取部は隆起壁により囲繞されているので試料が洩出することがなく、特に、試料採取部を複数個設けた場合には、隣接する試料採取部は隆起壁により明確にそれぞれ区画されているので、隣接する試料採取部の試料が混ざりあうことが防止され、コンタミネーションにより判定が不確実になるというトラブルが防止される。
【００６８】
また、本発明の試料検査用プレートは、試料採取部を複数個設けることにより、一度に多数の試料を処理することができるので、飛躍的に作業性、効率性が高められる。本発明の試料検査用プレートは、特に、病原大腸菌免疫血清凝集反応用汎用プレートとして好適である。
【００６９】
また、本発明の試料用検査プレートは、真空成形や射出成形等により容易に成形できるので、安価な試料用検査プレートを提供することができ、特に、使い捨て用としても好適である。
【図面の簡単な説明】
【００７０】
【図１】実施例１の試料検査用プレートを示し、（ａ）は上面図、（ｂ）はＡ−Ａ断面図である。
【図２】実施例２の試料検査用プレートを示す上面図である。
【図３】実施例３の試料検査用プレートを示す、（ａ）は上面図、（ｂ）はＢ−Ｂ断面図、（ｃ）はＣ−Ｃ断面図である。
【図４】実施例４の試料検査用プレートを示す上面図である。
【図５】実施例５の試料検査用プレートを示す上面図である。
【図６】実施例６の試料検査用プレートを示し、（ａ）は上面図、（ｂ）はＤ−Ｄ断面図である。
【図７】実施例７の試料検査用プレートを示す上面図である。
【図８】実施例８の試料検査用プレートを示す上面図である。
【図９】実施例９の試料検査用プレートを示し、（ａ）は上面図、（ｂ）はＥ−Ｅ断面図である。
【図１０】実施例１０の試料検査用プレートを示す上面図である。
【図１１】実施例１１の試料検査用プレートを示す上面図である。
【符号の説明】
【００７１】
１  試料検査用プレート
２  合成樹脂シート
３  隆起壁
３ａ  内側隆起壁
３ｂ  外側隆起壁
４  試料採取部
４ａ  底部
５  外周の隆起枠
６  把持部
７  カバー
７ａ  突縁部
８  ヒンジ
９  記録部
１０  凹部
１１  識別記号
１２  記録部
１３、１３ａ、１３ｂ  把持部
１４  折り線
【図１】
2006133168.tif 000003
【図２】
2006133168.tif 000004
【図３】
2006133168.tif 000005
【図４】
2006133168.tif 000006
【図５】
2006133168.tif 000007
【図６】
2006133168.tif 000008
【図７】
2006133168.tif 000009
【図８】
2006133168.tif 000010
【図９】
2006133168.tif 000011
【図１０】
2006133168.tif 000012
【図１１】
2006133168.tif 000013